(57)【特許請求の範囲】
【請求項１】
映像信号から分離した複合同期信号から垂直同期信号を分離する垂直同期信号分離回路であって、
前記複合同期信号と基準クロックとに基づいてアップ・ダウン動作するアップ・ダウンカウンタと、
このアップ・ダウンカウンタのカウント値に対して、垂直同期信号有りと認識するしきい値レベルと、垂直同期信号無しと認識するしきい値レベルとの２つのレベルを任意に設定するレベル設定手段と、
前記アップ・ダウンカウンタのカウント値および前記レベル設定手段のしきい値レベルに基づいて垂直同期信号を抽出するデコード回路と、
前記デコード回路から出力される垂直同期信号の立ち上がりおよび立ち下がりの各エッジを認識すると前記アップ・ダウンカウンタのカウント値を上限値または下限値に強制的に設定する手段と、
を備えることを特徴とする垂直同期信号分離回路。
【発明の詳細な説明】
【０００１】
【発明の属する技術分野】
本発明は、映像信号から分離した複合同期信号から垂直同期信号を分離する垂直同期信号分離回路に関するものである。
【０００２】
【従来の技術】
従来のアナログ回路により構成される垂直同期信号分離回路の一例を図４に示す。また、図４の回路の符号a・b・cの各点における波形を図５(a)〜(c)に示す。
【０００３】
この従来の垂直同期信号分離回路は、ローパスフィルタ２５とＮＰＮ型のトランジスタ２６とを備えており、ローパスフィルタ２５は、抵抗２１，２３、およびコンデンサ２２，２４により構成されている。
【０００４】
ここで、ローパスフィルタ２５に図５(a)に示す複合同期信号を入力すると、ローパスフィルタ２５で高周波成分が除かれて、その出力は図５(b)の波形となる。このローパスフィルタ２５の出力bが複合同期信号の垂直同期部分に応じて電圧低下を起こすので、これをトランジスタ２６で検出することで、図５(c)に示すような垂直同期信号を分離している。
【０００５】
【発明が解決しようとする課題】
しかしながら、上記のような垂直同期信号分離回路では、弱電界などにより垂直同期信号が欠落した場合には、ローパスフィルタ２５の出力変化が少なくなって垂直同期信号を十分に分離できなくなる。また、ローパスフィルタ２５やトランジスタ２６の特性上のバラツキによって垂直同期信号の分離が不安定になるなどの不具合がある。
【０００６】
本発明は、上記の問題点を解決し、確実に垂直同期信号を分離して取り出せるようにすることを課題とする。
【０００７】
【課題を解決するための手段】
本発明は、上記の課題を解決するために、映像信号から分離した複合同期信号から垂直同期信号を分離する垂直同期信号分離回路において、次のようにしている。
【０００８】
請求項１記載の発明では、前記複合同期信号と基準クロックとに基づいてアップ・ダウン動作するアップ・ダウンカウンタと、このアップ・ダウンカウンタのカウント値に対して、垂直同期信号有りと認識するしきい値レベルと、垂直同期信号無しと認識するしきい値レベルとの２つのレベルを任意に設定するレベル設定手段と、前記アップ・ダウンカウンタのカウント値および前記レベル設定手段のしきい値レベルに基づいて垂直同期信号を抽出するデコード回路と、前記デコード回路から出力される垂直同期信号の立ち上がりおよび立ち下がりの各エッジを認識すると前記アップ・ダウンカウンタのカウント値を上限値または下限値に強制的に設定する手段とを備えている。
これにより、時定数による回路のバラツキを無くすことができ、確実に垂直同期信号を分離して取り出すことができる。
【００１０】
これにより、さらに、ノイズに対してさらに一層安定して垂直同期信号を取り出すことができる。
【００１１】
【発明の実施の形態】
以下、本発明の実施の形態について図１ないし図３を参照して説明する。
【００１２】
図１において、１は同期信号分離回路、２はアップ・ダウンカウンタ、３はデコード回路、４はデコード値設定部、５は垂直同期信号エッジ検出回路である。
【００１３】
同期信号分離回路１で映像信号から分離された複合同期信号は、図２(a)に示すように、インバータ６でレベル反転されてアップ・ダウンカウンタ２に入力される。
【００１４】
ここで、アップ・ダウンカウンタ２は、図２(b)に示すように、基準発振回路７から出力する基準クロックを入力し、この基準クロックを基に、インバータ６を介した複合同期信号がＨighレベルのときアップカウントし、Ｌowレベルのときダウンカウントする。ただし、カウント値にはリミッタが作用するようになっていて、カウント値が上限値Ｌmaxまたは下限値Ｌminになるとカウント値はそのまま維持される。さらに、このアップ・ダウンカウンタ２は、後述の垂直同期信号エッジ検出回路５からの前後のエッジ検出パルスg，hに応じてカウント値が強制的に上限値Ｌmaxあるいは下限値Ｌminに設定されるようになっている。
【００１５】
デコード値設定部４は、特許請求の範囲におけるレベル設定手段に相当するもので、垂直同期信号有りと認識するしきい値レベルＬhと、垂直同期信号無しと認識するしきい値レベルＬlとが共に任意に設定できるようになっており、これらのしきい値レベルＬh，Ｌlの値を可変することで垂直同期信号の分離レベルを調整できるようになっている。
【００１６】
デコード回路３は、このデコード値設定部４からの各しきい値レベルＬh，Ｌlと、アップ・ダウンカウンタ２のカウント出力値とを比較して、図２(c)に示すように、垂直同期信号有りと認識するしきい値レベルＬhよりアップ・ダウンカウンタ２のカウント出力値が大きくなるとＬowレベル、垂直同期信号無しと認識するしきい値レベルＬlよりもアップ・ダウンカウンタ２のカウント出力値が小さくなるとＨighレベルとなる信号を垂直同期信号fとして出力する。
【００１７】
垂直同期信号エッジ検出回路５は、デコード回路３から出力される垂直同期信号fの前エッジと後エッジをそれぞれ検出し、この検出パルスg，hをアップ・ダウンカウンタ２に出力する。
【００１８】
すなわち、図２(d)，(e)に示すように、デコード回路３から出力される垂直同期信号fの前エッジを検出した時には１クロック幅の前エッジ検出パルスgを、垂直同期信号fの後エッジを検出した時には１クロック幅の後エッジ検出パルスhをそれぞれアップ・ダウンカウンタ２に対して出力する。
【００１９】
アップ・ダウンカウンタ２は、垂直同期信号エッジ検出回路５からエッジ検出パルスg，hがいずれも入力されないＬowレベルの期間は、通常時のアップ・ダウン動作を行なうが、前エッジ検出パルスgが入力されるとそのカウント値を上限値Ｌmaxに、また、後エッジ検出パルスhが入力されるとそのカウント値を下限値Ｌminにそれぞれ強制的に設定する。
【００２０】
このように、垂直同期信号エッジ検出回路５によって、垂直同期信号の前エッジ・後エッジを認識すると、アップ・ダウンカウンタ２のカウント値を上限値Ｌmaxまたは下限値Ｌminに強制的に設定することで、図３に示すように、ノイズに対して一層安定した垂直同期信号を得ることができる。
【００２１】
すなわち、アップ・ダウンカウンタ２のカウント値が次第に増加して上記のしきい値レベルＬhに到達したときには、垂直同期信号の開始時点と推定されるため、アップ・ダウンカウンタ２のカウント値を強制的に上限値Ｌmaxに設定すれば、デコード回路３の出力がＬowレベルに立ち下がるため、複合同期信号に瞬発的なノイズＮ１が含まれていてもアップ・ダウンカウンタ２のカウント値がしきい値レベルＬl以下となることがなく、したがって、デコード回路３の出力がノイズのために途中で立ち上がることが防がれる。また、アップ・ダウンカウンタ２のカウント値が次第に減少して上記のしきい値レベルＬlに到達したときには、垂直同期信号の終了時点と推定されるため、アップ・ダウンカウンタ２のカウント値を強制的に下限値Ｌminに設定すれば、デコード回路３の出力がＨighベルに立ち上がるため、複合同期信号に瞬発的なノイズＮ２が含まれていてもアップ・ダウンカウンタ２のカウント値がしきい値レベルＬh以上となることがなく、したがって、デコード回路３の出力がノイズのために途中で立ち下がることが防がれる。つまり、垂直同期信号にノイズＮ１，Ｎ２に起因したチャタリングが発生するようなことが確実に防止され、ノイズＮ１，Ｎ２，…の影響を除いて安定した垂直同期信号を得ることができる。
【００２２】
【発明の効果】
本発明によれば、次の効果を奏する。
【００２３】
(１)  請求項１記載の発明では、映像信号から分離した複合同期信号から垂直同期信号を分離する上で、アップ・ダウンカウンタやデコード回路を用いることで時定数による回路のバラツキの影響を無くして、確実に垂直同期信号を分離して取り出すことができる。
【００２４】
(２)  また、請求項１記載の発明では、垂直同期信号の前後のエッジを認識するとアップ・ダウンカウンタのカウント値を上限値または下限値に強制的に設定するようにしているので、ノイズの影響を除いて一層安定した垂直同期信号を得ることができる。
【図面の簡単な説明】
【図１】本発明の実施形態における垂直同期信号分離回路のブロック図
【図２】図１の垂直同期信号分離回路の動作説明に供するタイミングチャート
【図３】図１に垂直同期信号分離回路の動作説明、特に複合同期信号にノイズが含まれる場合のタイミングチャート
【図４】従来の垂直同期分離回路の一例の概略構成を示すブロック図
【図５】図４に示す垂直同期分離回路の動作を説明するためのタイミングチャート
【符号の説明】
１…同期信号分離回路、２…アップ・ダウンカウンタ、３…デコード回路、４…デコード値設定部、５…垂直同期信号エッジ検出回路、６…インバータ、７…基準発振回路。
【図１】
0004200226.tif 000002
【図２】
0004200226.tif 000003
【図３】
0004200226.tif 000004
【図４】
0004200226.tif 000005
【図５】
0004200226.tif 000006